(57)【要約】【課題】製造コストの低減、鏡筒の確実な取り付け、および鏡筒の取付時における作業性の向上と金属粉の発生の防止とを図ることのできる光学機器を提供すること。【解決手段】本体側マウント部４の外周面には突出ピン４１１が設けられ、レンズ側マウント部５の内周面には溝５１が形成され、レンズ側マウント部５の本体側マウント部４と対向する対向面５３には、各突出ピン４１１に対応する各位置に溝５１に連通する切欠部５４が形成され、光学機器にはレンズ側マウント部５を本体の光軸周りにおいて位置決めする位置決め機構が設けられている。突出ピン４１１を溝５１内に差し込むことにより鏡筒３を本体に接続するので、従来のように複雑な形状の板爪を形成する必要がなく製造コストを低減できる。本体の下側に配置されることの多いレンズ側マウント部５に切欠部５４が形成されるので、切欠部５４を容易に視認でき作業性を良好にできる。【選択図】図３
2010282068.tif 000002
【特許請求の範囲】
【請求項１】
内部にレンズを収納する鏡筒と、前記鏡筒が取り付けられ、前記レンズの光軸と一致する光軸を有する本体とを備える光学機器であって、
前記本体に設けられ、円筒部および前記円筒部の一端に形成された鍔部を有する本体側マウント部と、
前記鏡筒の一端に円筒状に設けられ、前記円筒部の外側に嵌められて回転されることにより前記本体側マウント部に連結されるレンズ側マウント部とを備え、
前記円筒部の外周面には、前記外周面から突出する突出ピンが周方向に沿って複数設けられ、
前記レンズ側マウント部の内周面には周方向に沿って溝が形成され、前記レンズ側マウント部において前記鍔部と対向する対向面には、前記各突出ピンに対応する各位置に前記溝に連通する切欠部が形成され、
前記光学機器には、前記レンズ側マウント部を前記本体の光軸周りにおいて位置決めする位置決め機構が設けられている
ことを特徴とする光学機器。
【請求項２】
請求項１に記載の光学機器において、
前記鍔部には、前記対向面に当接して前記対向面を前記鍔部から離間させる側へ押圧する押圧部材が設けられている
ことを特徴とする光学機器。
【請求項３】
請求項１または請求項２に記載の光学機器において、
前記位置決め機構は、前記突出ピンと、前記溝内に形成され、前記突出ピンに係止されることで前記レンズ側マウント部を位置決めする係止部とを備える
ことを特徴とする光学機器。
【請求項４】
請求項１から請求項３のいずれかに記載の光学機器において、
前記位置決め機構は、前記対向面に形成された位置決め用穴と、前記鍔部に出没自在に設けられるとともに、前記対向面側に向かって付勢され、前記位置決め用穴に嵌まることで前記レンズ側マウント部を位置決めする嵌合部材とを備える
ことを特徴とする光学機器。
【請求項５】
請求項１から請求項４のいずれかに記載の光学機器において、
前記レンズ側マウント部の外側には、円筒状に形成されるとともに、前記レンズ側マウント部および前記本体側マウント部に係合して前記マウント部間の連結を補強する補強部材が設けられ、
前記補強部材は、前記レンズ側マウント部を、前記レンズ側マウント部の軸方向に沿ういずれか一方向側に付勢し、前記突出ピンを前記溝の内壁に押し当てることで前記マウント部間の連結を補強する
ことを特徴とする光学機器。
【請求項６】
請求項１から請求項５のいずれかに記載の光学機器において、
前記レンズ側マウント部は、前記鏡筒に着脱可能に設けられている
ことを特徴とする光学機器。
【発明の詳細な説明】
【技術分野】
【０００１】
本発明は、光学機器に関する。
【背景技術】
【０００２】
従来、投影機や顕微鏡等の光学機器において、板爪を利用して鏡筒を光学機器本体（以下、本体と記載）に取り付けたものが知られている（例えば、特許文献１）。
特許文献１に記載の光学機器では、鏡筒において本体との接合部には３つの板爪（外周凸部）が形成されているとともに、本体側には、１条の溝と、この溝内に前記各板爪を差し込むための切欠部とが形成されている。各板爪の外側には凹部が形成されているとともに、溝の内周面には内周凸部が形成されている。そして、鏡筒を持上げて各板爪を切欠部を介して本体の溝内に配置した後、鏡筒を回転させ、各板爪を溝内に差し込むことにより鏡筒を本体に取り付ける。この際、溝の内周面に形成された各内周凸部が各板爪に形成された凹部内に嵌まることにより、鏡筒が光軸回りにおいて位置決めされる。
【先行技術文献】
【特許文献】
【０００３】
【特許文献１】特開平４−３０７５２８号公報
【発明の概要】
【発明が解決しようとする課題】
【０００４】
しかしながら、特許文献１に記載の光学機器では、板爪に位置決め用の凹部を形成すること等により鏡筒が複雑な形状となってしまうので、製造コストが増大してしまうという問題や、切欠部が本体側に形成されているので、鏡筒の取付時に、切欠き部の位置を確認するため本体を下方から覗き込まなければならず、作業性が悪いという問題がある。
【０００５】
本発明の目的は、製造コストの低減および鏡筒の取付時における作業性の向上を図ることのできる光学機器を提供することにある。
【課題を解決するための手段】
【０００６】
本発明の光学機器は、内部にレンズを収納する鏡筒と、前記鏡筒が取り付けられ、前記レンズの光軸と一致する光軸を有する本体とを備える光学機器であって、前記本体に設けられ、円筒部および前記円筒部の一端に形成された鍔部を有する本体側マウント部と、前記鏡筒の一端に円筒状に設けられ、前記円筒部の外側に嵌められて回転されることにより前記本体側マウント部に連結されるレンズ側マウント部とを備え、前記円筒部の外周面には、前記外周面から突出する突出ピンが周方向に沿って複数設けられ、前記レンズ側マウント部の内周面には周方向に沿って溝が形成され、前記レンズ側マウント部において前記鍔部と対向する対向面には、前記各突出ピンに対応する各位置に前記溝に連通する切欠部が形成され、前記光学機器には、前記レンズ側マウント部を前記本体の光軸周りにおいて位置決めする位置決め機構が設けられていることを特徴とする。
【０００７】
本発明において、鏡筒を本体に取り付ける際には、まず鏡筒のレンズ側マウント部に形成された切欠部の位置を本体側マウント部に形成された突出ピンに合わせた後、鏡筒を本体側マウント部に嵌める。これにより、突出ピンが切欠部を介して溝内に配置される。次いで、鏡筒を回転させ、突出ピンを溝内に差し込むとともに、位置決め機構により鏡筒を光学機器の光軸周りにおいて位置決めすることにより、鏡筒を本体に取り付ける。
このように、本発明では、突出ピンを溝内に差し込むことにより鏡筒を本体に取り付けるので、従来のように複雑な形状の板爪を形成する必要がなく、製造コストを低減できる。
ここで従来、本体への取付時に本体の下側に配置されることの多い鏡筒側に板爪が形成されるとともに本体側に切欠き部が形成されていたため、鏡筒の取付時に切欠き部の位置を確認するため本体を下方から覗き込まなければならず、作業性が悪かった。これに対し、本発明では、突出ピンおよび切欠き部の配置が従来とは逆（上下逆）となっており、本体側マウント部に突出ピンが形成されるとともに鏡筒のレンズ側マウント部に切欠部が形成されるので、鏡筒の取付時に切欠部を容易に視認することができ、簡単に突出ピンを切欠部内に差し込むことができる。そのため、鏡筒の取付時における作業性を良好にできる。
【０００８】
本発明では、前記鍔部には、前記対向面に当接して前記対向面を前記鍔部から離間させる側へ押圧する押圧部材が設けられていることが好ましい。
本発明によれば、押圧部材が、レンズ側マウント部の対向面を鍔部から離間させる側へ押圧することにより、突出ピンが溝の内壁に押し当てられるので、突出ピンと溝の内壁との摩擦力により鏡筒を本体に強固に取り付けることができる。
【０００９】
本発明では、前記位置決め機構は、前記突出ピンと、前記溝内に形成され、前記突出ピンに係止されることで前記レンズ側マウント部を位置決めする係止部とを備えることが好ましい。
本発明によれば、鏡筒を回転させて本体に取り付ける際に、係止部が突出ピンに係止されることで鏡筒が光軸周りにおいて位置決めされる。このような本発明では、位置決め機構を、突出ピンと、突出ピンに係止される係止部とを備えた簡素な構成としたので、製造コストを十分に低減できる。
【００１０】
本発明では、前記位置決め機構は、前記対向面に形成された位置決め用穴と、前記鍔部に出没自在に設けられるとともに、前記対向面側に向かって付勢され、前記位置決め用穴に嵌まることで前記レンズ側マウント部を位置決めする嵌合部材とを備えることが好ましい。
【００１１】
本発明によれば、鏡筒を回転させて本体に取り付ける際に、鍔部に設けられた嵌合部材がレンズ側マウント部の対向面に形成された位置決め用穴に嵌まるので、鏡筒を光軸周りにおいて位置決めできる。また、嵌合部材が対向面を鍔部から離間させる側へ付勢し、突出ピンを溝の内壁に押し当てるので、突出ピンと溝の内壁との摩擦力により鏡筒を本体に強固に取り付けることができる。
【００１２】
本発明では、前記レンズ側マウント部の外側には、円筒状に形成されるとともに、前記レンズ側マウント部および前記本体側マウント部に係合して前記マウント部間の連結を補強する補強部材が設けられ、前記補強部材は、前記レンズ側マウント部を、前記レンズ側マウント部の軸方向に沿ういずれか一方向側に付勢し、前記突出ピンを前記溝の内壁に押し当てることで前記マウント部間の連結を補強することが好ましい。
【００１３】
本発明によれば、補強部材がレンズ側マウント部を、レンズ側マウント部の軸方向に沿ういずれか一方向側に付勢することにより、突出ピンを溝の内壁に押し当てるので、マウント部間の連結を補強し鏡筒を本体に強固に取り付けることができる。
【００１４】
本発明では、前記レンズ側マウント部は、前記鏡筒に着脱可能に設けられていることが好ましい。
本発明によれば、レンズ側マウント部が鏡筒に着脱可能に設けられているので、従来の鏡筒（鏡筒本体）を用いることができるとともに、レンズ側マウント部が破損した場合にレンズ側マウント部を交換することができ、光学機器の利便性を向上させることができる。
【図面の簡単な説明】
【００１５】
【図１】本発明の第１実施形態に係る顕微鏡を示す全体図。
【図２】本体側マウント部およびレンズ側マウント部を示す断面図。
【図３】本体側マウント部および鏡筒の分解斜視図。
【図４】切欠部を介して溝内に突出ピンを配置した際のマウント部を示す平面図。
【図５】レンズ側マウント部を回転させた際のマウント部を示す平面図。
【図６】本発明の第２実施形態に係る補強部材を示す断面図。
【図７】本発明の第３実施形態に係る補強部材を示す断面図。
【発明を実施するための形態】
【００１６】
〔第１実施形態〕
以下、本発明の第１実施形態を図面に基づいて説明する。
図１は、本実施形態に係る光学機器としての顕微鏡１を示す全体図である。
顕微鏡１は、図示しない被測定物が載置され水平面内の二軸方向へ移動可能な載物台１１と、載物台１１の鉛直方向に延びる支柱１２と、つまみ１３１の回動により支柱１２を昇降可能に設けられた昇降装置１３と、内部にレンズやミラー、プリズム等の複数の光学部品が設けられ、昇降装置１３を介して支柱１２に支持された本体２と、本体２に取り付けられた複数の鏡筒３とを備えている。
【００１７】
本体２の上部には、図示しない一対の接眼レンズを有する接眼レンズ部２１が取り付けられている。また、本体２の上部には、本体２内部に照明光を導入するための導入口２２が設けられている。このような本体２の下部には、回動可能なレボルバ部２３が設けられている。このレボルバ部２３に、複数の鏡筒３が取り付けられている。
各鏡筒３は、それぞれ内部に倍率の異なる図示しない対物レンズを収納している。各鏡筒３は、レボルバ部２３が回動することで、本体２の光軸位置に選択的に配置される。なお、鏡筒３の構成については後述する。
【００１８】
このような顕微鏡１において、導入口２２から本体２内部に導入された照明光は、本体２内の光学部品および鏡筒３内の対物レンズを介して載物台１１上の図示しない被測定物に照射され、被測定物にて反射された後、鏡筒３内の対物レンズおよび本体２内の光学部品を介して接眼レンズ部２４１内の接眼レンズへ導かれる。これにより、接眼レンズを介して被測定物が目視にて拡大観察される。
【００１９】
このような顕微鏡１では、本体２の下部に本体側マウント部４が設けられているとともに、鏡筒３には円筒状のレンズ側マウント部５が設けられており、このレンズ側マウント部５が本体側マウント部４の外側に嵌められて回転されることにより鏡筒３が本体２に取り付けられる。以下、鏡筒３の取付構造について具体的に説明する。
【００２０】
図２は、本体側マウント部４およびレンズ側マウント部５を示す断面図、図３は、本体側マウント部４および鏡筒３の分解斜視図である。
本体側マウント部４は、円筒部４１と、円筒部４１の一端に形成された鍔部４２とを備えている。
【００２１】
円筒部４１の外周面には、該外周面から突出する突出ピン４１１が周方向において等間隔に３つ設けられている（図４参照）。この突出ピン４１１は、円筒部４１の外周面に溶接や接着により固定されていてもよいし、円筒部４１の外周面にねじ穴が形成され、このねじ穴に螺合されることにより設けられていてもよい。また、円筒部４１の外周面に穴が形成され、突出ピン４１１は、この穴に嵌合されることにより円筒部４１の外周面に設けられていてもよい。
【００２２】
鍔部４２には、３つのねじ孔４２１および固定用孔４２２（図３）が形成されている。ねじ孔４２１にはプランジャーねじ４２３が螺合している。プランジャーねじ４２３の先端には、押圧部材および嵌合部材としてのボール４２４がレンズ側マウント部５に向かって出没自在に設けられている。このボール４２４は、プランジャーねじ４２３内部に設けられた図示しないばねによりレンズ側マウント部５に向かって付勢されている。固定用孔４２２には図示しないねじが挿通される。このねじは、レボルバ部２３の下部に螺合し、本体側マウント部４をレボルバ部２３に取り付ける。
【００２３】
鏡筒３は、内部に対物レンズを収納する鏡筒本体３１と、鏡筒本体３１の一端に着脱可能に設けられた円筒状のレンズ側マウント部５とを備えている。
鏡筒本体３１の一端側には、本体２側に突出した突出部３１１が形成されている。突出部３１１の外周面には雄ねじ部３１２が形成されている。
【００２４】
レンズ側マウント部５は円筒状に形成されている。このレンズ側マウント部５の底には、若干径が小さくされた鍔状の取付部５０が形成されている。取付部５０の内周面には雌ねじ部５０１が形成されている。レンズ側マウント部５は、この取付部５０が鏡筒本体３１の突出部３１１に螺合されることにより、鏡筒本体３１に取り付けられる。
【００２５】
このようなレンズ側マウント部５の内周面には、突出ピン４１１が差し込まれる１条の溝５１が形成されている。この溝５１には、係止部としてのストッパーピン５２が設けられている。ストッパーピン５２は、溝５１に形成された孔５１１に嵌合されることにより設けられている。なお、ストッパーピン５２は、適宜の手段により溝５１内に設けられていればよい。このストッパーピン５２は、溝５１内に突出ピン４１１が配置された状態でレンズ側マウント部５を回転させた際に、突出ピン４１１に係止されることにより、レンズ側マウント部５を本体２の光軸（光軸Ｌ）周りにおいて位置決めし、ひいては鏡筒本体３１を本体２の光軸周りにおいて位置決めする。
【００２６】
レンズ側マウント部５において本体側マウント部４と対向する環状の対向面５３には、各突出ピン４１１に対応する各位置に、溝５１に連通する切欠部５４（図３）が形成されている。本実施形態では、この切欠部５４を介して溝５１内に突出ピン４１１を配置し鏡筒３を回転させることで、鏡筒３を本体側マウント部４に取り付けることができる。また、対向面５３には位置決め用穴５５が形成されている。この位置決め用穴５５にボール４２４が嵌まることでも鏡筒３が光軸周りにおいて位置決めされる。本実施形態では、これら位置決め用穴５５およびボール４２４と、ストッパーピン５２および突出ピン４１１とを備えて、光軸周りにおいて鏡筒３を位置決めする位置決め機構が構成されている。
【００２７】
以下、鏡筒３の本体２への取付方法について簡略に説明する。
まず、レンズ側マウント部５を鏡筒本体３１の突出部３１１に螺合させ、レンズ側マウント部５を鏡筒本体３１に取り付ける。
【００２８】
図４は、切欠部５４を介して溝５１内に突出ピン４１１を配置した際のマウント部４，５を示す平面図、図５は、レンズ側マウント部５を回転させた際の各マウント部４，５を示す平面図である。
次に、図４に示すように、レンズ側マウント部５の切欠部５４の位置を本体側マウント部４の突出ピン４１１にあわせ、レンズ側マウント部５を持上げて本体側マウント部４に嵌める。これにより、突出ピン４１１は、切欠部５４を介して溝５１内に配置される。また、この際、各プランジャーねじ４２３のボール４２４は、レンズ側マウント部５の対向面５３に当接し、対向面５３によりプランジャーねじ４２３内に押し込まれた状態となる。
【００２９】
次いで、レンズ側マウント部５を図５中反時計回りに回転させて突出ピン４１１を溝５１内に差し込んだ状態とし、図５に示すように、プランジャーねじ４２３のボール４２４がレンズ側マウント部５の位置決め用穴５５に嵌まるとともに、ストッパーピン５２が突出ピン４１１に当接するまでレンズ側マウント部５を図５中反時計回りに回転させる。これにより、レンズ側マウント部５が、自重およびボール４２４により、本体側マウント部４から離間する側に向かって付勢され突出ピン４１１に支持されるとともに、位置決め用穴５５およびボール４２４と、ストッパーピン５２および突出ピン４１１とにより、レンズ側マウント部５が光軸周りにおいて位置決めされる。以上により、鏡筒３が本体２に取り付けられる。
【００３０】
以上の本実施形態によれば、以下の効果を奏することができる。
突出ピン４１１を溝５１内に差し込むことにより鏡筒３を本体２に取り付けるので、従来のように複雑な形状の板爪を形成する必要がなく、製造コストを低減できる。
鏡筒側に板爪が形成されるとともに本体側に切欠部が形成される従来とは上下逆に、鏡筒３のレンズ側マウント部５に切欠部５４が形成され、本体２の本体側マウント部４に突出ピン４１１が形成されているので、鏡筒３の取付時に切欠部５４を容易に視認することができ、簡単に突出ピン４１１を切欠部５４内に差し込むことができる。そのため、鏡筒３の取付時における作業性を良好にできる。
【００３１】
プランジャーねじ４２３が、レンズ側マウント部５の対向面５３を鍔部４２から離間させる側へ押圧するので、突出ピン４１１が溝５１の内壁に押し当てられ、突出ピン４１１と溝５１の内壁との摩擦力により鏡筒３を本体２に強固に取り付けることができる。
鏡筒３を回転させて本体２に取り付ける際に、ストッパーピン５２が突出ピン４１１に係止されることで鏡筒３が光軸周りにおいて位置決めされる。このように、位置決め機構を、突出ピン４１１とストッパーピン５２とを備えた簡素な構成としたので、製造コストを十分に低減できる。
【００３２】
位置決め機構を、本体２側に設けられたプランジャーねじ４２３のボール４２４と、鏡筒３側に形成された位置決め用穴５５とを備えた構成としたので、鏡筒３を回転させて本体２に取り付ける際に、ボール４２４が位置決め用穴５５に嵌まることによっても、鏡筒３を光軸周りにおいて位置決めできる。また、ボール４２４がレンズ側マウント部５の対向面５３を鍔部４２から離間させる側へ付勢し、突出ピン４１１を溝５１の内壁に押し当てるので、突出ピン４１１と溝５１の内壁との摩擦力により鏡筒３を本体２に強固に取り付けることができる。
【００３３】
レンズ側マウント部５が鏡筒３に着脱可能に設けられているので、従来の鏡筒本体３１をそのまま利用することができるとともに、レンズ側マウント部５が破損した場合にレンズ側マウント部５を交換することができ、光学機器１の利便性を向上させることができる。
【００３４】
〔第２実施形態〕
図６は、本発明の第２実施形態に係るマウント部４，５間の連結を補強する補強部材６を示す断面図である。以降、第１実施形態と同一機能部位には同一符号を付し、それらの説明を省略若しくは簡略化する。
本実施形態では、レンズ側マウント部５の外側に、円筒状に形成されるとともにマウント部４，５に係合しマウント部４，５間の連結を補強する補強部材６が設けられていることが特徴である。以下、レンズ側マウント部５の特徴的な点および補強部材６について説明する。
レンズ側マウント部５において、本体側マウント部４側に近接する側には外側に僅かに膨出し、側面に雄ねじ部５６１が形成された膨出部５６が形成されている。
【００３５】
補強部材６の内周面には、前記雄ねじ部５６１に螺合する雌ねじ部６１が形成されている。このような補強部材６は、鏡筒３が本体側マウント部４に取り付けられた後に、レンズ側マウント部５の外側に嵌められる。そして、補強部材６は、雄ねじ部５６１に螺合し、本体側マウント部４の鍔部４２に突き当てられることにより、レンズ側マウント部５をその軸方向において本体側マウント部４から離間する側に付勢し、突出ピン４１１を溝５１の内壁において本体側マウント部４に近接する側に押し当てる。これにより、本実施形態では、突出ピン４１１と溝５１の内壁との摩擦力が強化されることによりマウント部４，５間の連結が補強され、鏡筒３を本体２により強固に取り付けることができる。
【００３６】
〔第３実施形態〕
図７は、本発明の第３実施形態に係る補強部材６Ａを示す断面図である。
前記第２実施形態では、補強部材６は、レンズ側マウント部５をその軸方向において本体側マウント部４から離間させる側に付勢したが、本実施形態の補強部材６Ａは、レンズ側マウント部５をその軸方向において本体側マウント部４に近接させる側に付勢する点が特徴である。以下、本実施形態のマウント部４，５および補強部材６Ａの特徴的な点について説明する。
【００３７】
本体側マウント部４の鍔部４２Ａの側面には雄ねじ部４３が形成されている。
レンズ側マウント部５には、外側に膨出した膨出部５６Ａが形成されている。本実施形態の膨出部５６Ａの側面には雄ねじ部は形成されていない。
【００３８】
補強部材６Ａの内周面において、本体側マウント部４に近接する側には、雄ねじ部４３に螺合する雌ねじ部６１Ａが形成され、本体側マウント部４から離間する側には、内側に突出した鍔状の底部６２が形成されている。このような補強部材６Ａは、鏡筒３が本体側マウント部４に取り付けられた後、レンズ側マウント部５および鍔部４２Ａの外側に嵌められ、底部６２が膨出部５６Ａに係合するまで雄ねじ部４３に螺合される。これにより、補強部材６Ａは、レンズ側マウント部５をその軸方向において本体側マウント部４に近接させる側に付勢して、突出ピン４１１を溝５１の内壁において本体側マウント部４から離間する側に押し当てる。これにより、本実施形態でもマウント部４，５間の連結が補強され、鏡筒３を本体２により強固に取り付けることができる。
【００３９】
〔実施形態の変形〕
なお、本発明は前記各実施形態に限定されるものではなく、本発明の目的を達成できる範囲での変形、改良等は本発明に含まれるものである。
前記各実施形態では、突出ピン４１１は、本体側マウント部４の外周面において、周方向に３つ設けられていたが、周方向に２つまたは４つ以上設けられていてもよい。
【００４０】
前記各実施形態では、溝５１は１条形成されていたが、溝は、同一周方向において、各突出ピン４１１に対応した位置および長さ分だけ形成されていてもよい。そして、前記各実施形態では、係止部は、ストッパーピン５２であったが、係止部は、例えば上記のように溝が設けられた場合における溝の周方向上に形成される壁面（鏡筒３を回転させた際に突出ピン４１１に係止される部分の壁面）であってもよく、鏡筒３を回転させた際に突出ピン４１１に係止されるものであればよい。
【００４１】
前記各実施形態では、押圧部材は、プランジャーねじ４２３のボール４２４であったが、押圧部材は、対向面５３に当接して対向面５３を鍔部４２Ａから離間させる側へ押圧するものであれば、適宜のものであってよい。また、前記各実施形態では、押圧部材は、嵌合部材（ボール４２４）を兼ねていたが、押圧部材は、嵌合部材と別体で設けられていてよい。
【００４２】
前記各実施形態では、嵌合部材は、プランジャーねじ４２３のボール４２４であったが、嵌合部材は、本体側マウント部４において対向面５３側に向かって出没自在に設けられ、かつ対向面５３側に付勢されて位置決め用穴５５に嵌められるものであれば適宜のものであってよい。
前記各実施形態では、位置決め機構は、突出ピン４１１とストッパーピン５２、およびボール４２４と位置決め用穴５５を備えていたが、位置決め機構は、いずれか一方の組み合わせのみを備えていてもよいし、いずれも備えず他の適宜の機構により鏡筒３を位置決めするものでもよい。
【００４３】
前記各実施形態では、レンズ側マウント部５は、鏡筒３に着脱可能に設けられていたが、レンズ側マウント部５は、鏡筒３と一体に設けられていてもよい。
前記各実施形態では、本発明を光学機器としての顕微鏡に適用した例を説明したが、本発明は、例えば投影機など、レンズを内蔵する鏡筒が光学機器本体に取り付けられる適宜の光学機器に適用することができる。
【産業上の利用可能性】
【００４４】
本発明は、投影機や顕微鏡等の光学機器に利用できる。
【符号の説明】
【００４５】
１     顕微鏡（光学機器）
２     本体
３     鏡筒
４     本体側マウント部
５     レンズ側マウント部
６，６Ａ  補強部材
５１   溝
５２   ストッパーピン（係止部）
５３   対向面
５４   切欠部
５５   位置決め用穴
４１１ 突出ピン
４２４ ボール（押圧部材，嵌合部材）
Ｌ     光軸
【図１】
2010282068.tif 000003
【図２】
2010282068.tif 000004
【図３】
2010282068.tif 000005
【図４】
2010282068.tif 000006
【図５】
2010282068.tif 000007
【図６】
2010282068.tif 000008
【図７】
2010282068.tif 000009